(57)【要約】【課題】実装される電子部品の種類や実装位置に応じて、適切な放熱器を配置することが可能な放熱装置を備えた、電子機器を得る。【解決手段】インバータ装置１のベース３０の表側に、インバータ素子１０とコンバータ素子２０を実装し、放熱装置５０を、ベース３０の背面側に着脱可能とする。そして、放熱装置５０を、ベース３０の表側に実装される、インバータ素子１０及びコンバータ素子２０の種類や数、実装位置に応じて、放熱器の種類や配置の異なる、最適な放熱効果が得られる放熱装置５０に交換する。【選択図】図２
2018078206.tif 000002
【特許請求の範囲】
【請求項１】
ベースと、発熱部品である第１の電子部品と、前記第１の電子部品の熱を放出する放熱装置とを有する電子機器であって、
前記第１の電子部品は、前記ベースの表側に実装され、
前記放熱装置は、前記ベースの背面側に、着脱可能に取付けられる、電子機器。
【請求項２】
前記放熱装置は、
前記ベースに実装される前記第１の電子部品の仕様に応じた、異なる放熱装置に交換される、
請求項１に記載の電子機器。
【請求項３】
前記ベースの表側に実装される、発熱部品である第２の電子部品を有し、
前記放熱装置は、
前記第１の電子部品の実装位置に対応する、第１の取付面に取付けられる、前記第１の電子部品の仕様に応じた第１の放熱器と、
前記第２の電子部品の実装位置に対応する、第２の取付面に取付けられる、前記第２の電子部品の仕様に応じた第２の放熱器とを有する、
請求項１または２に記載の電子機器。
【請求項４】
前記第１の取付面に取付けられる、前記第１の放熱器は、
前記第２の取付面に取付け可能であり、
前記第２の取付面に取付けられる、前記第２の放熱器は、
前記第１の取付面に取付け可能である、
請求項３に記載の電子機器。
【請求項５】
前記ベースに着脱可能に取付けられる、拡張ベースを有し、
前記拡張ベースの表側には、第３の電子部品が実装される、
請求項１から４のいずれか１項に記載の電子機器。
【請求項６】
前記第３の電子部品は発熱部品であり、
前記放熱装置は、前記第３の電子部品の仕様に応じて、前記拡張ベースの背面側に、着脱可能に取り付けられる、第３の放熱器を有する、
請求項５に記載の電子機器。
【発明の詳細な説明】
【技術分野】
【０００１】
この発明は、発熱する電子部品と、電子部品の熱を放出する放熱装置とを備えた電子機器に関する。
【背景技術】
【０００２】
従来より、発熱する電子部品が実装された電子機器では、ヒートパイプなどの放熱器を備えた放熱装置に電子部品を固定し、電子部品から発生する熱を放出して、電子部品の冷却をおこなっている（例えば特許文献１参照）。
【先行技術文献】
【特許文献】
【０００３】
【特許文献１】特開平６−２６８１２３号公報
【発明の概要】
【発明が解決しようとする課題】
【０００４】
従来の電子機器の放熱装置には、発熱する電子部品が実装されている。このため、電子機器の仕様が変更されて、実装される電子部品の種類や数、実装位置などに変更が生じ、放熱器の種類や配置を変更する必要が生じた場合には、新たな放熱装置を製作する必要があった。
【０００５】
この発明は、上記のような課題を解決するためになされたものであり、電子機器の仕様が変更されても、新たな放熱装置を製作することなく、電子部品の種類や数、実装位置に応じた、最適な放熱効果が得られる放熱装置に交換することができる。
【課題を解決するための手段】
【０００６】
この発明に係る放熱装置を備えた電子機器は、ベースと、電子部品と、放熱装置とを有し、電子部品をベースに実装し、放熱装置を、ベースに着脱可能に取付けるものである。
【発明の効果】
【０００７】
この発明は、電子機器のベースに電子部品を実装し、このベースに対して放熱装置を着脱可能とすることにより、放熱器の種類や配置の異なる放熱装置に、交換することが可能である。これにより、ベースに実装される電子部品の種類や数、実装位置に応じて、最適な放熱効果が得られる放熱装置を取付けることが可能となる。
【図面の簡単な説明】
【０００８】
【図１】この発明の実施の形態１におけるインバータ装置を備えた、エレベータ装置の構成を示す概略図である。
【図２】この発明の実施の形態１におけるインバータ装置の上面図である。
【図３】この発明の実施の形態１におけるインバータ装置の正面図である。
【図４】この発明の実施の形態１におけるインバータ装置の側面図である。
【図５】インバータ装置のベースに、放熱装置を取付ける様子を示す図である。
【図６】この発明の実施の形態２におけるインバータ装置の正面図である。
【図７】この発明の実施の形態２におけるインバータ装置の上面図である。
【発明を実施するための形態】
【０００９】
以下、本発明の放熱装置を備えた電子機器の好適な実施の形態につき、図面を用いて説明する。
【００１０】
実施の形態１．
本発明の実施の形態１によるインバータ装置１を、図１から図５に基づいて説明する。図１は、電子機器であるインバータ装置１と、このインバータ装置１を用いたエレベータ装置を示す模式図である。図２ないし図４は、それぞれ、図１のインバータ装置の上面図、正面図及び側面図である。また、図５は、インバータ装置１のベース３０の背面側に、放熱装置５０を取付ける様子を示す図である。
【００１１】
図１に示すように、インバータ装置１は、エレベータ装置の制御部９に含まれ、第１の電子部品であるインバータ素子１０と、第２の電子部品であるコンバータ素子と、コンデンサ３とを有している。
【００１２】
コンバータ素子２０は、交流電源２から供給される交流電圧を、直流電圧に変換する。コンデンサ３は、コンバータ素子２０から出力される直流電圧を平滑化する。インバータ素子１０は、コンデンサ３が平滑化した直流電圧を、任意の周波数と電圧の交流電源に変換する。実施の形態１では、インバータ素子１０と、コンバータ素子２０が、発熱する電子部品である。
【００１３】
エレベータ装置は、インバータ装置１を有する制御部９と、インバータ装置１により駆動されるモータ４と、モータ４により回転される巻上機５を有する。また、巻上機５には、ロープ６が巻き掛けられ、ロープ６の一端には、かご室８が固定され、他端には、釣合錘７が固定されている。
【００１４】
次に、図２ないし図４を用いて、インバータ装置１について、さらに詳しく説明する。図２の上面図に示すように、インバータ装置１は、インバータ素子１０及びコンバータ素子２０が実装された略直方体のベース３０と、ヒートパイプユニット５２及び放熱フィンユニット５４で構成された放熱装置５０とを有している。図２及び図４において、一点鎖線で囲まれた部分は、放熱装置５０を示している。
【００１５】
図３の正面図に示すように、インバータ素子１０及びコンバータ素子２０は、アルミや銅など、熱伝導率の高い材料により形成された、ベース３０の正面に実装されている。また、放熱装置５０を構成するヒートパイプユニット５２及び放熱フィンユニット５４は、図２及び図４に示すように、ベース３０の背面側に取付けられている。
【００１６】
図５に示すように、放熱装置５０を構成する、ヒートパイプユニット５２の基部５２ｃは、インバータ素子１０が実装された、ベース３０の背面側の第１の取付面３０ａに、ねじ４０により着脱可能に取り付けられている。ヒートパイプユニット５２は、基部５２ｃから上部に突き出したヒートパイプ５２ａと、ヒートパイプ５２ａに設けられた複数のフィン５２ｂとを有している。
【００１７】
放熱フィンユニット５４の基部５４ｂは、コンバータ素子２０が実装されたベース３０背面側の第２の取付面３０ｂに、ねじ４１により着脱可能に取付けられている。また、放熱フィンユニット５４は、基部５４ｂから、インバータ装置１の背面側に延設された、櫛形の複数のフィン５４ａを有している。
【００１８】
ここで、放熱装置５０の作用を説明する。エレベータ装置の制御部９からの指令信号により、インバータ素子１０がスイッチング動作をして、モータ４に可変周波数の可変電圧を印加する。モータ４により巻上機５が駆動されると、ロープ６を介してかご室８が上下動する。これらの動作に伴い、コンバータ素子２０とインバータ素子１０が発熱する。このとき、インバータ素子１０は、コンバータ素子２０よりも高温となる。
【００１９】
コンバータ素子２０の熱は、放熱フィンユニット５４のフィン５４ａを介して空気中に放熱され、インバータ素子１０の熱は、ヒートパイプユニット５２のヒートパイプ５２ａに伝導し、ヒートパイプ５２ａからフィン５２ｂを介して空気中に放熱される。
【００２０】
インバータ装置１の放熱装置５０は、放熱効果が高いヒートパイプユニット５２を、高温になるインバータ素子１０が実装されたベース３０の背面側に取付けている。そして、放熱効果の低い放熱フィンユニット５４を、コンバータ素子２０が実装されたベース３０の背面側に取付けている。このように、インバータ装置１の放熱装置５０は、電子部品が発する温度に応じた放熱器で構成される。これにより、インバータ装置１の効果的な放熱が行われる。
【００２１】
次に、ヒートパイプユニット５２と、放熱フィンユニット５４の互換性について説明する。ヒートパイプユニット５２と、放熱フィンユニット５４は、インバータ装置１のベース３０に対して着脱可能である。そして、ヒートパイプユニット５２の基部５２ｃにおける、ベース３０への取付部と、放熱フィンユニット５４の基部５４ｂにおける、ベース３０への取付部のねじ穴の配置は同一である。また、ベース３０の背面側における、第１の取付面３０ａに設けられた、ねじ４０を取付ける４つの貫通孔の配置と、第２の取付面３０ｂに設けられた、ねじ４１を取付ける４つの貫通孔の配置も、同一である。
【００２２】
したがって、第１の取付面３０ａに取付けられたヒートパイプユニット５２を、放熱フィンユニット５４に交換することや、第２の取付面３０ｂに取付けられた放熱フィンユニット５４をヒートパイプユニット５２に交換することができる。さらに、ヒートパイプ５２ａの長さや太さの異なる、複数のヒートパイプユニット５２や、フィン５４ａの枚数や形状の異なる、複数の放熱フィンユニット５４を製作しておき、組合せを変えることにより、複数種類の放熱装置５０を構成することができる。
【００２３】
また、例えばインバータ装置１を設置する場所の上部に、十分な空間がなく、ヒートパイプユニット５２を取り付けて設置することができない場合には、ヒートパイプユニット５２の替わりに、放熱フィンユニット５４を取付けることができる。これにより、放熱効果は低下するが、インバータ装置１を設置することが可能となる。逆に、インバータ装置１を設置する場所の奥行きに余裕がなく、放熱フィンユニット５４を取付けて設置することができない場合であっても、放熱フィンユニット５４の替わりに、ヒートパイプユニット５２を取付けることにより、インバータ装置１を設置することが可能となる。
【００２４】
また、エレベータ装置の仕様変更などにより、インバータ装置１のインバータ素子１０、あるいはコンバータ素子２０の仕様や数、実装位置が変更になる場合には、インバータ装置１から放熱装置５０を取り外し、新たな仕様に応じたヒートパイプユニット５２あるいは放熱フィンユニット５４で構成した、新たな放熱装置５０に交換することができる。
【００２５】
このように、実施の形態１によれば、インバータ装置１のベース３０に、インバータ素子１０及びコンバータ素子２０を実装し、このベース３０に対して放熱装置５０を着脱可能とすることにより、ヒートパイプユニット５２や放熱フィンユニット５４の種類や配置を異ならせることができる。したがって、ベース３０に実装されるインバータ素子１０及びコンバータ素子２０の種類や数、実装位置に応じて、最適な放熱効果が得られる放熱装置５０を構成して、ベース３０に取り付けることができる。これにより、インバータ装置１の放熱装置５０の製作コストを削減することができる。
【００２６】
なお、実施の形態１では、インバータ装置１の放熱装置５０を、ヒートパイプユニット５２及び放熱フィンユニット５４で構成したが、これに限らず、他の冷却手段を備えたユニットを用いて構成してもよい。また、実施の形態１では、電子機器としてのインバータ装置１のベース３０に、第１及び第２の電子部品として、インバータ素子１０及びコンバータ素子２０を実装したが、電子部品の数は、これに限るものではない。例えば、第１の電子部品のみであってもよいし、３つ以上であってもよい。さらに、実施の形態１では、放熱装置５０を、ヒートパイプユニット５２及び放熱フィンユニット５４の２つのユニットで構成したが、ユニットの数はこれに限るものではない。例えば、１つのユニットのみでもよいし、３つ以上のユニットで構成してもよい。
【００２７】
実施の形態２．
次に、本発明の実施の形態２によるインバータ装置１００を、図６及び図７に基づいて説明する。本実施の形態２によるインバータ装置１００は、先の実施の形態１によるインバータ装置１のベース３０に、拡張ベース３２を接続可能としたものである。その他の構成は、実施の形態１と同様である。
【００２８】
図６及び図７は、それぞれ、実施の形態２によるインバータ装置１００の正面図と上面図である。実施の形態２におけるインバータ装置１００は、ベース３０に接続可能な、拡張ベース３２を有している。拡張ベース３２は、ベース３０と同様に、アルミや銅などの、熱伝導率の高い材料で形成されており、４本のねじ４２により、ベース３０に、着脱可能に接続される。
【００２９】
拡張ベース３２の正面側には、発熱部品である第３の電子部品６０が実装されている。そして、拡張ベース３２の背面側には、図７に示すように、放熱器として、放熱フィンユニット５６が、着脱可能に取り付けられている。
【００３０】
実施の形態２のインバータ装置１００によれば、拡張ベース３２により、ベース３０を拡張して、発熱部品である第３の電子部品６０を追加することができる。これにより、第３の電子部品の熱を、拡張ベース３２からベース３０に伝達して、放熱装置５０により放出することができる。
【００３１】
また、拡張ベース３２に、拡張ベース３２に配置された第３の電子部品６０に応じた、放熱フィンユニット５６などを取付け可能としてもよい。これにより、ベース３０に実装されたインバータ素子１０及びコンバータ素子２０の放熱に、大きな影響を与えることなく、発熱部品である第３の電子部品６０を追加して、インバータ装置１の機能を拡張することができる。
【００３２】
なお、実施の形態２では、拡張ベース３２の放熱器として、放熱フィンユニット５６を取付けたが、これに限るものではない。例えば、拡張ベース３２の放熱器は、ヒートパイプで構成したユニットであってもよい。
【符号の説明】
【００３３】
１  インバータ装置（電子機器）、１０  インバータ素子（第１の電子部品）、２０  コンバータ素子（第２の電子部品）、３０  ベース、３０ａ  第１の取付面、３０ｂ  第２の取付面、３２  拡張ベース、５０  放熱装置、５２  ヒートパイプユニット(第１の放熱器）、５４  放熱フィンユニット（第２の放熱器）、５６  放熱フィンユニット（第３の放熱器）、６０  第３の電子部品、１００  インバータ装置。
【図１】
2018078206.tif 000003
【図２】
2018078206.tif 000004
【図３】
2018078206.tif 000005
【図４】
2018078206.tif 000006
【図５】
2018078206.tif 000007
【図６】
2018078206.tif 000008
【図７】
2018078206.tif 000009